(57)【要約】【課題】  ラビリンス構造の非接触式シールによる半永久的シール構造とするとともに消耗部品の廃止によりメンテナンス周期を延長し、軽量、小型化することができる縦型モータの軸受部防水構造を提供する。【解決手段】  縦型モータのシャフトと、シャフトを支える軸受と、軸受を収納する軸受カバーと、シャフトの外周面に取り付けられると共に、軸受を保持する軸受押さえと、軸受の外周面を保持すると共に軸受カバーが設けられている軸受ブラケットとを備えた縦型モータの軸受部構造において、軸受カバーの軸受押さえと近接する部分をラビリンス構造とし、かつ、軸受押さえの軸受カバーと近接する部分をラビリンス構造とし、さらに、軸受ブラケットの軸方向上面部に軸受カバーのラビリンス部よりも下方になるような排水溝を備える。【選択図】    図１
2005086942.tif 000002
【特許請求の範囲】
【請求項１】
縦型モータのシャフトと、前記シャフトを支える軸受と、前記軸受を収納する軸受カバーと、前記シャフトの外周面に取り付けられると共に、前記軸受を保持する軸受押さえと、前記軸受の外周面を保持すると共に前記軸受カバーが設けられている軸受ブラケットとを備えた縦型モータの軸受部構造において、
前記軸受カバーの前記軸受押さえと近接する部分をラビリンス構造とし、かつ、前記軸受押さえの前記軸受カバーと近接する部分をラビリンス構造とし、
さらに、前記軸受ブラケットの軸方向上面部に前記軸受カバーのラビリンス部よりも下方になるような排水溝を備えたことを特徴とする縦型モータの軸受部防水構造。
【発明の詳細な説明】
【技術分野】
【０００１】
本発明は、縦取付型モータに採用される軸受部防水構造に関するものである。
【背景技術】
【０００２】
従来の縦型モータの軸受部防水構造は、軸受ブラケットとシャフトの間に接触式シールを用いることで行っている（例えば、特許文献１参照）。また、非接触式シールを用いているものもある。
以下、第１の従来技術を、図３を用いて説明し、第２の従来技術を図４を用いて説明する。
［第１の従来技術］
図３において、軸受１を介してシャフト２を回転可能に支持する軸受ブラケット１０とその中心部の円筒状軸受ハウジング４の一端面には軸受１の端面を包囲する軸受カバー１１が取り付けられ、その中心部の先端には接触式シール１２が取り付けられている。接触式シール１２はその一部がシャフト２の外周面に接触してあり、接触式シール１２とシャフト２の接触部が摺動することにより軸受１を潤滑しているグリース及び油分の流出を防ぎ、なおかつ、外部からの液体や固体の流入を防いでいる。
［第２の従来技術］
図４において、軸受１を介してシャフト２を回転可能に支持する軸受ブラケット１０とその中心部の円筒状軸受ハウジング４の一端面には軸受１の端面を包囲する軸受カバー５が取り付けられ、シャフト２の外周面に軸受１を保持する軸受押さえ６が取り付けられている。軸受カバー５と軸受押さえ６が近接対向する部分でラビリンス構造による非接触式シールを形成することにより軸受１を潤滑しているグリース及び油分の流出を防ぎ、なおかつ、外部からの液体や固体の流入を防いでいる。
【特許文献１】特開平５−１６１２９７号公報
【発明の開示】
【発明が解決しようとする課題】
【０００３】
しかしながら、このような従来の縦型モータの軸受部防水構造については、次のような問題があった。
・  接触式シールの摺動部の摩擦による損失があり、また、摺動部の摩耗、摩滅、劣化によるシール性の低下があり、接触式シールを定期的に交換する必要がある。
・  摺動部の摩耗、摩滅、劣化によって接触式シールのシール性が低下するので、外部から液体や固体が流入する。
・  ラビリンス構造による非接触式シールは、その構造上、許容量以上の液量が掛かった場合、液体が流入するおそれがある。
・  ラビリンス構造による非接触式シールの許容量を大きくするためには、ラビリンス構造が大きく複雑になり、縦型モータの軽量、小型化を阻害する。
本発明は、このような問題を解決するためになされたもので、ラビリンス構造の非接触式シールによる半永久的シール構造とするとともに、消耗部品の廃止によりメンテナンス周期を延長し、軽量、小型化することができる縦型モータの軸受部防水構造を提供することを目的とするものである。
【課題を解決するための手段】
【０００４】
上記問題を解決するため、本発明は、縦型モータのシャフトと、前記シャフトを支える軸受と、前記軸受を収納する軸受カバーと、前記シャフトの外周面に取り付けられると共に、前記軸受を保持する軸受押さえと、前記軸受の外周面を保持すると共に前記軸受カバーが設けられている軸受ブラケットとを備えた縦型モータの軸受部構造において、前記軸受カバーの前記軸受押さえと近接する部分をラビリンス構造とし、かつ、前記軸受押さえの前記軸受カバーと近接する部分をラビリンス構造とし、さらに、前記軸受ブラケットの軸方向上面部に前記軸受カバーのラビリンス部よりも下方になるような排水溝を備えるようにしたものである。
【発明の効果】
【０００５】
本発明の縦型モータの軸受部防水構造によれば、縦型モータの上側軸受ブラケット及び軸受部上面に掛かった液体を軸受ブラケット上面の排水溝を通ってモータ外周側に排水することにより非接触式シールによる液体の流入を防止することができ、簡便なラビリンス構造により縦型モータを小型、軽量化することができるという効果がある。
【発明を実施するための最良の形態】
【０００６】
以下、本発明の実施例を図に基づいて説明する。
【実施例１】
【０００７】
図１は、本発明の第１の実施例における縦型モータの軸受部防水構造を示す側断面図である。
図１において、軸受１を介してシャフト２を回転可能に支持する軸受ブラケット３とその中心部の円筒状軸受ハウジング４の一端面には軸受１の端面を包囲する軸受カバー５が取り付けられ、シャフト２の外周面に軸受１を保持する軸受押さえ６が取り付けられている。軸受カバー５の軸受押さえ６と近接対向する部分にラビリンス構造が設けれれており、かつ、軸受押さえ６の軸受カバー５と近接対向する部分にラビリンス構造が設けられており、非接触式シールを形成することにより軸受１を潤滑しているグリース及び油分の流出を防ぎ、なおかつ、外部からの液体や固体の流入を防いでいる。
また、軸受ブラケット３の軸方向上面部には軸受カバー５のラビリンス部よりも下方になるように排水溝が設けられ、軸受カバー５のラビリンス部で堰き止められた液体を滞らせることなく軸受ブラケット外周部に導きモータ外周部に排水することができる。
【実施例２】
【０００８】
図２は、第２の実施例の構成を示す図１相当図である。
図２において、軸受１を介してシャフト７を回転可能に支持する軸受ブラケット３とその中心部の円筒状軸受ハウジング４の一端面には軸受１の端面を包囲する軸受カバー５が取り付けられ、シャフト７には軸受１を保持する軸受押さえ部８が設けられている。軸受カバー５の軸受押さえ部８と近接対向する部分にラビリンス構造が設けれれており、かつ、軸受押さえ部８の軸受カバー５と近接対向する部分にラビリンス構造が設けられており、非接触式シールを形成することにより軸受１を潤滑しているグリース及び油分の流出を防ぎ、なおかつ、外部からの液体や固体の流入を防いでいる。
また、軸受ブラケット３の軸方向上面部には軸受カバー５のラビリンス部よりも下方になるように排水溝９が設けられ、軸受カバー５のラビリンス部で堰き止められた液体を滞らせることなく軸受ブラケット外周部に導きモータ外周部に排水することができる。
【図面の簡単な説明】
【０００９】
【図１】本発明の第１実施例における縦型モータの軸受部防水構造を示す側断面図である。
【図２】本発明の第２の実施例を示す図１相当図である。
【図３】第１の従来技術における縦型モータの軸受部防水構造を示す側断面図である。
【図４】第２の従来技術を示す図３相当図である。
【符号の説明】
【００１０】
１  軸受
２、７  シャフト
３、１０  軸受ブラケット
４  軸受ハウジング
５  軸受カバー
６、１１  軸受押さえ
８  軸受押さえ部
９  排水溝
１２  接触式シール
【図１】
2005086942.tif 000003
【図２】
2005086942.tif 000004
【図３】
2005086942.tif 000005
【図４】
2005086942.tif 000006